(57)【特許請求の範囲】
【請求項１】
木造建物の屋根の構造であって、
当該建物の桁行方向に延びる軒桁と、
当該軒桁に略平行に延びる棟木と、
当該軒桁および棟木の間に設けられて前記建物の桁行方向に延びる母屋と、
当該軒桁、棟木、および母屋の上に設けられて、当該軒桁、棟木、および母屋に略直交して延びる垂木と、
当該垂木の上に設けられた野地板と、
前記軒桁および棟木の端部同士を連結する登り梁と、
前記登り梁の上に設けられて前記建物の桁行方向に延びるけらば垂木と、
前記登り梁の上に設けられて前記屋根の四隅に向かって延びる腕木と、を備え、
前記けらば垂木は、前記母屋よりも狭い間隔で配置されて前記登り梁に接合され、
前記登り梁の上でかつ前記けらば垂木および前記腕木の間には、転び止めが設けられることを特徴とする屋根構造。
【請求項２】
前記けらば垂木は、当該けらば垂木の上面に略垂直にビスを打ち込むことで、前記登り梁に固定されることを特徴とする請求項１に記載の屋根構造。
【請求項３】
前記転び止めは、当該転び止めの上面に略垂直にビスを打ち込むことで、前記登り梁に固定されることを特徴とする請求項１または２に記載の屋根構造。
【発明の詳細な説明】
【技術分野】
【０００１】
本発明は、例えば、木造建物の屋根の構造に関する。
【背景技術】
【０００２】
従来より、木造建物の屋根構造として切妻屋根が知られている（特許文献１参照）。この切妻屋根は、例えば、図５に示すような構造である。
すなわち、建物１００は、切妻屋根１０１を備えている。この切妻屋根１０１は、桁行方向（建物の長辺方向）に延びる一対の軒桁１０２と、梁間方向（建物の短辺方向）に延びる複数の小屋梁１０３と、これら小屋梁１０３に小屋束１０４を介して支持されて桁行方向に延びる棟木１０５と、小屋梁１０３に小屋束１０６を介して支持されて棟木１０５と軒桁１０２との間に略平行に配置された複数の母屋１０７と、棟木１０５、母屋１０７、軒桁１０２の間に架設された垂木１０８と、を備える。
【０００３】
このような屋根構造では、母屋１０７と垂木１０８とで屋根構面が構成されており、この屋根構面は、軒桁１０２および棟木１０５に接合されている。つまり、屋根構面は、四辺のうちの二辺のみで建物の構造体に接合される。
そのため、軒桁１０２と小屋梁１０３との間に火打ち梁１０９を設けて、建物１００の水平構面の剛性を確保することで、屋根構面に作用する地震力や風力などの力に抵抗している。
【先行技術文献】
【特許文献】
【０００４】
【特許文献１】特開２００７−１００３２３号公報
【発明の概要】
【発明が解決しようとする課題】
【０００５】
しかしながら、以上のような構造では、室内の天井面に火打ち梁１０９を設けるので、建物１内に大空間を設けることが困難となる、という問題があった。
【０００６】
本発明は、建物内に大空間を設けることができる屋根構造を提供することを目的とする。
【課題を解決するための手段】
【０００７】
請求項１に記載の屋根構造は、木造建物（例えば、後述の木造建物１）の屋根の構造であって、当該建物の桁行方向に延びる軒桁（例えば、後述の軒桁３１）と、当該軒桁に略平行に延びる棟木（例えば、後述の棟木３３）と、当該軒桁および棟木の間に設けられて前記建物の桁行方向に延びる母屋（例えば、後述の母屋３５）と、当該軒桁、棟木、および母屋の上に設けられて、当該軒桁、棟木、および母屋に略直交して延びる垂木（例えば、後述の垂木３６）と、当該垂木の上に設けられた野地板（例えば、後述の野地板５０）と、前記軒桁および棟木の端部同士を連結する登り梁（例えば、後述の登り梁３４）と、を備えることを特徴とする。
【０００８】
本発明では、母屋、垂木および野地板からなる屋根構面が、軒桁、棟木、および登り梁に接合される。つまり、軒桁、棟木、および登り梁が矩形枠状の構造体となり、屋根構面は、全周に亘ってこの矩形枠状の構造体に接合される。したがって、屋根構面に地震力や風圧力などの外力が作用しても、このような外力に確実に抵抗できる。
よって、従来のような火打ち梁が不要となり、施工費を低減できるうえに、建物内に大空間を設けることができる。また、建物内部に設ける耐力壁を最小限にできるので、間仕切壁のレイアウトの自由度が向上する。
【０００９】
請求項１に記載の屋根構造は、前記登り梁の上に設けられて前記建物の桁行方向に延びるけらば垂木（例えば、後述のけらば垂木３７）をさらに備え、当該けらば垂木は、前記母屋よりも狭い間隔で配置され、前記登り梁に接合されることを特徴とする。
【００１０】
この発明によれば、建物の桁行方向に延びるけらば垂木を、母屋よりも狭い間隔で配置し、このけらば垂木の下面を登り梁に接合した。よって、屋根の妻側の部分では、けらば垂木が密に登り梁に固定されることにより、屋根構面の剛性および耐力が向上する。
【００１１】
請求項２に記載の屋根構造は、前記けらば垂木は、当該けらば垂木の上面に略垂直にビス（例えば、後述の構造用ビス４０）を打ち込むことで、前記登り梁に固定されることを特徴とする。
【００１２】
ここで、けらば垂木を登り梁に固定するビスは、曲げ強度や剛性の高いビス（木ねじ）であることが好ましい。
この発明によれば、けらば垂木の上面に略垂直にビスを打ち込むことで、けらば垂木を登り梁に固定した。したがって、けらば垂木を登り梁に固定した際に、従来のようにけらば垂木の側面に斜めに釘を打ち込んだ場合に比べて、ビスの引き抜き抵抗により、風圧力によるけらば垂木の浮き上がりや転倒を防止できる。
【００１３】
請求項１および３に記載の屋根構造は、前記登り梁の上でかつ前記けらば垂木同士の間には、転び止め（例えば、後述の転び止め３９）が設けられ、当該転び止めは、当該転び止めの上面に略垂直にビス（例えば、後述の構造用ビス４０）を打ち込むことで、前記登り梁に固定されることを特徴とする。
【００１４】
ここで、転び止めを登り梁に固定するビスは、曲げ強度や剛性の高いビス（木ねじ）であることが好ましい。
この発明によれば、登り梁の上でかつけらば垂木同士の間に、転び止めを設けたので、けらば垂木が捻じれたり転倒したりするのを防止できるから、屋根の妻側の部分における屋根構面の剛性および耐力をより向上できる。
また、転び止めの上面に略垂直にビスを打ち込んで、転び止めを登り梁に固定したので、けらば垂木に外力が作用しても、転び止めにより、けらば垂木の位置ずれを確実に防止できる。
【発明の効果】
【００１５】
本発明によれば、屋根構面に地震力や風圧力などの外力が作用しても、この外力に確実に抵抗できる。また、従来のような火打ち梁が不要となり、施工費を低減できるうえに、建物内に大空間を設けることができる。また、建物内部に設ける耐力壁を最小限にできるので、間仕切壁のレイアウトの自由度が向上する。また、屋根の妻側の部分では、けらば垂木が密に登り梁に固定されることにより、屋根構面の剛性および耐力が向上する。
【図面の簡単な説明】
【００１６】
【図１】本発明の一実施形態に係る屋根構造が適用された建物の斜視図である。
【図２】前記実施形態に係る屋根構造の部分拡大斜視図（その１）である。
【図３】前記実施形態に係る屋根構造の部分拡大斜視図（その２）である。
【図４】前記実施形態に係る屋根構造の登り梁とけらば垂木との接合部分を示す断面図である。
【図５】本発明の従来例に係る屋根構造の建物の斜視図である。
【発明を実施するための形態】
【００１７】
以下、本発明の一実施形態について、図面を参照しながら説明する。
図１は、本発明の一実施形態に係る屋根構造が適用された木造建物１の骨組みを示す斜視図である。
木造建物１は、地盤面に構築された基礎１０と、この基礎１０の上に設けられた１階部分２０と、１階部分２０の上に設けられた切妻屋根構造の屋根部分３０と、を備える。
【００１８】
基礎１０は、鉄筋コンクリート造であり、平面視で略矩形状である。
１階部分２０は、基礎１０の上面に設けられた土台２１と、土台２１の上に設けられた６本の柱２２と、を備える。
６本の柱２２は、木造建物１の四隅に設けられた４本の柱２２と、桁行方向の略中央に設けられた２本の柱２２と、で構成される。
【００１９】
図２は、屋根部分３０の図１中手前側の妻側部分の拡大斜視図である。図３は、屋根部分３０の図１中奥側の妻側部分の拡大斜視図である。
屋根部分３０は、一対の軒桁３１、小屋梁３２、棟木３３、登り梁３４、母屋３５、垂木３６、けらば垂木３７、腕木３８および野地板５０を備える。
【００２０】
軒桁３１は、桁行方向つまり建物の長辺方向に延びて、木造建物１の柱２２同士を桁行方向に連結する。
小屋梁３２は、梁間方向つまり建物の短辺方向に延びて、木造建物１の柱２２同士を梁間方向に連結する。
【００２１】
棟木３３は、桁行方向に延びており、一対の軒桁３１同士の間に配置されている。つまり、棟木３３は、軒桁３１に略平行に延びている。この棟木３３は、小屋梁３２の略中央に小屋束３３１を介して支持されている。
登り梁３４は、屋根部分３０の妻側両端部に設けられて、軒桁３１の端部と棟木３３の端部とを連結している。
【００２２】
母屋３５は、棟木３３と軒桁３１との間に複数本設けられる。この母屋３５は、桁行方向に延びており、互いに略平行に所定間隔おきに配置される。
【００２３】
垂木３６は、軒桁３１、母屋３５、および棟木３３の上に略直交して延びており、桁行方向に所定間隔おきに架設されている。この垂木３６の下端部は、軒桁３１よりも桁側に突出している。
【００２４】
腕木３８は、屋根部分３０の四隅でかつ垂木３６とけらば垂木３７との間に設けられ、屋根部分３０の四隅から木造建物１の桁側と妻側の間に突出して延びている。この腕木３８の内端側は、最も妻側に位置する垂木３６の側面に接合されている。
腕木３８の桁側には、登り梁３４の上に、内端側で腕木３８の側面に接合される垂木３６Ａが設けられる。
【００２５】
けらば垂木３７は、桁行方向に延びており、登り梁３４の上に所定間隔おきに設けられている。けらば垂木３７は、母屋３５よりも狭い間隔で配置され、内端側は、垂木３６に接合され、外端側は、登り梁３４よりも妻側に突出している。
なお、一部のけらば垂木３７Ａは、腕木３８の妻側に配置されて、内端側が腕木３８に接合される。
【００２６】
けらば垂木３７は、図４に示すように、けらば垂木３７の上面に略垂直に構造用ビス４０を打ち込むことで、登り梁３４の上面に接合されて固定される。この構造用ビス４０は、曲げ強度や剛性の高いビス（木ねじ）である。
また、屋根部分３０の図１中奥側の妻側部分では、図３に示すように、登り梁３４の上でかつけらば垂木３７同士の間には、転び止め３９が設けられている。これら転び止め３９は、転び止め３９の上面に略垂直に構造用ビス４０を打ち込むことで、登り梁３４の上面に固定される。
【００２７】
野地板５０は、垂木３６、けらば垂木３７、および腕木３８の上面に設けられる（図４参照）。
【００２８】
本実施形態によれば、以下のような効果がある。
（１）母屋３５、垂木３６および野地板５０からなる屋根構面が、軒桁３１、棟木３３、および登り梁３４に接合される。つまり、軒桁３１、棟木３３、および登り梁３４が矩形枠状の構造体となり、屋根構面は、全周に亘ってこの矩形枠状の構造体に接合される。したがって、屋根構面に地震力や風圧力などの外力が作用しても、このような外力に確実に抵抗できる。
よって、従来のような火打ち梁が不要となり、施工費を低減できるうえに、木造建物１内に大空間を設けることができる。また、木造建物１の内部に設ける耐力壁を最小限にできるので、間仕切壁のレイアウトの自由度が向上する。
【００２９】
（２）木造建物１の桁行方向に延びるけらば垂木３７を、母屋３５よりも狭い間隔で配置し、このけらば垂木３７の下面を登り梁３４の上面に接合した。よって、切妻屋根の妻側の部分では、けらば垂木３７が密に登り梁３４に固定されることにより、屋根構面の剛性および耐力が向上する。
【００３０】
（３）けらば垂木３７の上面に略垂直に構造用ビス４０を打ち込むことで、けらば垂木３７を登り梁に固定した。したがって、けらば垂木３７を登り梁３４に固定する際に、従来のようにけらば垂木３７の側面に釘を斜めに打ち込んだ場合に比べて、構造用ビス４０の引き抜き抵抗により、風圧力によるけらば垂木３７の浮き上がりを防止できる。
【００３１】
（４）登り梁３４の上でかつけらば垂木３７同士の間に、転び止め３９を設けたので、けらば垂木３７が捻じれたり転倒したりするのを防止できるから、切妻屋根の妻側の部分における屋根構面の剛性および耐力をより向上できる。
また、転び止め３９の上面に略垂直に構造用ビス４０を打ち込んで、転び止め３９を登り梁３４に固定したので、けらば垂木３７に外力が作用しても、この転び止め３９により、けらば垂木３７の位置ずれを確実に防止できる。
【００３２】
なお、本発明は前記実施形態に限定されるものではなく、本発明の目的を達成できる範囲での変形、改良等は本発明に含まれるものである。
例えば、本実施形態では、本発明を切妻屋根に適用したが、これに限らず、片流れ屋根や入母屋屋根などにも適用できる。
【符号の説明】
【００３３】
１…建物（木造建物）
１０…基礎
２０…１階部分
２１…土台
２２…柱
３０…屋根部分
３１…軒桁
３２…小屋梁
３３…棟木
３４…登り梁
３５…母屋
３６、３６Ａ…垂木
３７、３７Ａ…けらば垂木
３８…腕木
３９…転び止め
４０…構造用ビス
５０…野地板
３３１…小屋束
【図１】
0006280024.tif 000002
【図２】
0006280024.tif 000003
【図３】
0006280024.tif 000004
【図４】
0006280024.tif 000005
【図５】
0006280024.tif 000006